(57)【要約】【課題】操作者が左利き又は右利きの何れの場合にも対応することを可能としたキーユニットを提供する。【解決手段】キーユニット１は、施錠及び解錠するためのキープレート１１及びキープレート１１の一端部に固定されたロータ部材１２を有するメカニカルキー１０と、メカニカルキー１０を格納する格納位置から完全に展開する完全展開位置を基準としてロータ部材１２を左右反転可能に支持するケース２０と、ケース２０に設けられた支持部２２ｂに弾性的に支持され、ロータ部材１２に係合してロータ部材１２の回転を規制する係脱可能なリリースボタン２７と、一端部がロータ部材１２に固定されるとともに、他端部がケース２０に固定され、完全展開位置を基準として付勢方向が反転されるトーションスプリング２９とを備える。【選択図】図１
2016102300.tif 000002
【特許請求の範囲】
【請求項１】
施錠及び解錠するためのキープレート及び前記キープレートの一端部に固定されたロータ部材を有するメカニカルキーと、
前記メカニカルキーを格納する格納位置から完全に展開する完全展開位置を基準として前記ロータ部材を左右反転可能に支持するケースと、
前記ケースに設けられた支持部に弾性的に支持され、前記ロータ部材に係合して前記ロータ部材の回転を規制する係脱可能なリリースボタンと、
一端部が前記ロータ部材に固定されるとともに、他端部が前記ケースに固定され、前記完全展開位置を基準として付勢方向が反転されるトーションスプリングと、
を備えたことを特徴とするキーユニット。
【請求項２】
前記トーションスプリングは、ねじり反力を発生する略円筒形状のコイル部と一対のバネ端部とを有しており、
前記一対のバネ端部は、同一垂直面上にあって前記コイル部の両端から同一方向に屈曲して形成されていることを特徴とする請求項１記載のキーユニット。
【請求項３】
前記ロータ部材は、前記リリースボタンを挿入する貫通孔の開口周辺部に前記格納位置と前記完全展開位置とに対応して規制凹部を有し、
前記リリースボタンは、前記支持部にコイルスプリングを介して支持され、前記ロータ部材の回転を規制する規制突部を有し、
前記規制凹部は、前記コイルスプリングのばね力により前記規制突部を係脱可能に案内する斜面を有していることを特徴とする請求項１記載のキーユニット。
【請求項４】
前記ロータ部材は、前記コイルスプリングのばね力に抗して前記規制突部を前記規制凹部に摺動案内させる摺動面を有していることを特徴とする請求項３記載のキーユニット。
【発明の詳細な説明】
【技術分野】
【０００１】
本発明は、ケースの内部にメカニカルキーを回転収納可能なキーユニットに関する。
【背景技術】
【０００２】
ケースの内部にメカニカルキーを回転収納可能なキーユニットの一例としては、例えば特許文献１に記載されたキーユニットが提案されている。
【０００３】
上記特許文献１に記載されたキーユニットにおいては、キープレートを格納する格納位置からキープレートを突出させる突出位置にねじりばねで付勢して回動させるキーヘッドを有するメカニカルキーが把持ケースの正面視で把持ケースの左側内部に支持されている。
【０００４】
把持ケースには、メカニカルキーの回動を規制するリリースボタンがケース表面側に付勢するコイルばねを介して把持ケースの左側上部に支持されるとともに、キーヘッドに係脱可能に嵌合されている。
【０００５】
左側のリリースボタンをコイルばねのばね力に抗して押し込み操作することでメカニカルキーの回動規制が解除され、メカニカルキーがねじりばねのばね力により把持ケースの正面視で時計回り方向に自動的に回動するようになっている。
【先行技術文献】
【特許文献】
【０００６】
【特許文献１】特開２００７−２５５０１４号公報
【発明の概要】
【発明が解決しようとする課題】
【０００７】
上記特許文献１に記載のキーユニットは、把持ケースの正面視でメカニカルキーを時計回り方向に自動的に回動する構成となっていることから、操作者の右手で把持ケースを把持して、左側のリリースボタンを押し込み操作することになる。
【０００８】
しかしながら、上記特許文献１に記載のキーユニットは、操作者の利き手を考慮していない。そのため、左利きの操作者は、左手指がメカニカルキーの格納位置を遮らないように左側のリリースボタンを押し込み操作させなくてはならず、キーユニットの操作が行い難いという問題があった。
【０００９】
従って、本発明の目的は、操作者が左利き又は右利きの何れの場合にも対応することを可能としたキーユニットを提供することにある。
【課題を解決するための手段】
【００１０】
［１］本発明は、施錠及び解錠するためのキープレート及び前記キープレートの一端部に固定されたロータ部材を有するメカニカルキーと、前記メカニカルキーを格納する格納位置から完全に展開する完全展開位置を基準として前記ロータ部材を左右反転可能に支持するケースと、前記ケースに設けられた支持部に弾性的に支持され、前記ロータ部材に係合して前記ロータ部材の回転を規制する係脱可能なリリースボタンと、一端部が前記ロータ部材に固定されるとともに、他端部が前記ケースに固定され、前記完全展開位置を基準として付勢方向が反転されるトーションスプリングと、を備えたことを特徴とするキーユニットにある。
【００１１】
［２］上記［１］記載の前記トーションスプリングは、ねじり反力を発生する略円筒形状のコイル部と一対のバネ端部とを有しており、前記一対のバネ端部は、同一垂直面上にあって前記コイル部の両端から同一方向に屈曲して形成されていることを特徴とする。
【００１２】
［３］上記［１］記載の前記ロータ部材は、前記リリースボタンを挿入する貫通孔の開口周辺部に前記格納位置と前記完全展開位置とに対応して規制凹部を有し、前記リリースボタンは、前記支持部にコイルスプリングを介して支持され、前記ロータ部材の回転を規制する規制突部を有し、前記規制凹部は、前記コイルスプリングのばね力により前記規制突部を係脱可能に案内する斜面を有していることを特徴とする。
【００１３】
［４］上記［３］記載の前記ロータ部材は、前記コイルスプリングのばね力に抗して前記規制突部を前記規制凹部に摺動案内させる摺動面を有していることを特徴とする。
【発明の効果】
【００１４】
本発明によれば、操作者が左利き又は右利きの何れの場合であっても、簡単な構造で、使い勝手がよい操作性を得ることができる。
【図面の簡単な説明】
【００１５】
【図１】本発明に好適な実施の形態に係るキーユニットを説明するための要部分解斜視図である。
【図２】実施の形態に係るキーユニットを説明するための要部平面図である。
【図３】実施の形態に係るキーユニットのメカニカルキーの裏面を説明するための要部斜視図である。
【図４】実施の形態に係るキーユニットのリリースボタンを説明するための要部斜視図である。
【図５】実施の形態に係るキーユニットの内部を説明するための要部斜視図である。
【図６】（ａ）は、図２のＶＩＡ−ＶＩＡ線矢視断面拡大図であり、（ｂ）は、ＶＩＢ−ＶＩＢ線矢視断面拡大図、（ｃ）は、ＶＩＣ−ＶＩＣ線矢視断面拡大図、（ｄ）は、ＶＩＣ−ＶＩＣ線矢視断面に対応する図であって、メカニカルキーの動作を説明するための断面拡大図である。
【発明を実施するための形態】
【００１６】
以下、本発明の好適な実施の形態を添付図面に基づいて具体的に説明する。
【００１７】
（キーユニットの全体構成）
図１及び図２において、全体を示す符号１は、例えば車両に配置されたシリンダ錠を機械的な操作により施錠又は解錠するメカニカルキー１０をケース２０の内部に回転格納可能なキーユニットの一例を示している。
【００１８】
このキーユニット１は、メカニカルキー１０が部品格納空間２０ａに格納された格納位置から完全に展開した完全展開位置を基準として、キーユニット１の正面視でメカニカルキー１０を左右反転可能に支持するケース２０を備えている。
【００１９】
ケース２０は、上ケース２１と下ケース２２とを有している。上ケース２１の裏面には、下ケース２２に設けられた位置決め孔２２ｅに嵌合される位置決めピン２１ｅが突出して形成されており、位置決めピン２１ｅを位置決め孔２２ｅに嵌合した状態で、図示しない固定手段により固定されるようになっている。
【００２０】
上ケース２１の上面には、４つのスイッチボタン２３〜２６が押し込み操作可能に設けられている。ケース２０及びスイッチボタン２３〜２６は、例えばＡＢＳやＰＣ等の樹脂材料からなる。
【００２１】
図示例によるキーユニット１は、例えば車両に配置された施錠装置を電気的に施錠制御及び解錠制御する制御装置等を無線通信により遠隔操作する携帯機に適用できるものであり、スイッチボタン２３〜２６の裏面中央部には、図示しない回路基板に実装されたタクトスイッチを作動させる作動突部が形成されている。
【００２２】
スイッチボタン２３〜２６としては、例えば車両のドアのロック・アンロックを行うためのロックボタン・アンロックボタンやラゲージドアのアンロック（オープン）を行うためのラゲージボタン等がある。
【００２３】
メカニカルキー１０は、長尺板状のキープレート１１と、キープレート１１の一端部に固定された略円筒状のロータ部材１２とからなる。キープレート１１の材質は、例えば洋白等の金属材料からなる。ロータ部材１２の材質は、例えば亜鉛ダイカスト等の金属材料からなる。
【００２４】
ロータ部材１２は、図１〜図３及び図６（ｂ）に示すように、ケース２０の先端中央部に配置されている。ロータ部材１２の中間部には、メカニカルキー１０の完全展開位置を基準として左右反転を許容するリリースボタン２７を挿入するための円形の貫通孔１２ａが貫通して形成されている。
【００２５】
リリースボタン２７は、図１〜図４及び図６（ｂ）に示すように、例えば亜鉛ダイカスト等の金属材料からなる長いキャップ状に形成されており、リリースボタン２７の内部底面は、下ケース２２の内部底面に立設された支持ボス部２２ａを形成する筒状の支持部にコイルスプリング２８を介して支持されている。リリースボタン２７の下部外周面には、メカニカルキー１０の完全展開位置を基準として左右反転を許容及び規制する規制突部２７ａが突出して形成されている。
【００２６】
ロータ部材１２の貫通孔１２ａの上部開口端面には、図１、図２及び図６（ａ）に示すように、円形のばね収容凹部１２ｂと、ばね収容凹部１２ｂに連通するスリット状の係止孔１２ｃとが形成されている。係止孔１２ｃは、ケース２０の先端中央部に向けてばね収容凹部１２ｂの径方向に延びている。
【００２７】
ロータ部材１２の下面には、図３及び図６（ａ）〜図６（ｃ）に示すように、貫通孔１２ａを中心とする凹状の摺動面１２ｄが形成されている。摺動面１２ｄには、ケース２０の先端中央部と同一方向に位置付けされた略四角形状の規制凹部１２ｅが貫通孔１２ａに連通して形成されており、規制凹部１２ｅと１８０°の位相差をもって貫通孔１２ａに連通にする略扇形状の規制凹部１２ｆが形成されている。
【００２８】
ロータ部材１２における規制凹部１２ｅ，１２ｆの左右反転方向の開口端部には、摺動面１２ｄから下傾斜する斜面１２ｇがそれぞれ形成されている。斜面１２ｇは、ロータ部材１２の規制凹部１２ｅ，１２ｆにリリースボタン２７の規制突部２７ａをコイルスプリング２８のばね力により自動的に嵌合させるためのカム面として機能する。
【００２９】
ロータ部材１２の規制凹部１２ｅ，１２ｆは、メカニカルキー１０の格納位置と完全展開位置とにおいてリリースボタン２７の規制突部２７ａを嵌め込み保持することで、メカニカルキー１０の姿勢を保持する機能を有している。
【００３０】
下ケース２２の支持ボス部２２ａの下部周辺部には、図４〜図６（ｃ）に示すように、ロータ部材１２の下部摺動面を摺動させる略円形状の摺動段部２２ｂが突出して形成されている。摺動段部２２ｂには、リリースボタン２７の挿入空間である円形の挿入凹部２２ｃが形成されている。挿入凹部２２ｃには、リリースボタン２７の規制突部２７ａと常に係合する一対の係合凹部２２ｄ，２２ｄが周方向に１８０°の位相差をもって形成されている。
【００３１】
下ケース２２の各係合凹部２２ｄは、メカニカルキー１０の格納位置及び完全展開位置と対応する位置に配置されている。この係合凹部２２ｄは、メカニカルキー１０の格納位置から完全展開位置の間においてリリースボタン２７の規制突部２７ａに常に嵌め込み保持されており、メカニカルキー１０の姿勢を保持する機能を有している。
【００３２】
一方、上ケース２１の先端部側下面には、図１及び図６（ａ）〜図６（ｃ）に示すように、コイルスプリング２８のばね力に抗してロータ部材１２の上部摺動面を摺動させる略円形状の摺動段部２１ａが突出して形成されている。摺動段部２１ａには、リリースボタン２７が挿入配置される円形の挿入孔２１ｂが貫通して形成されている。
【００３３】
上ケース２１の挿入孔２１ｂの下部開口端面には、円環状のばね収容凹部２１ｃと、ばね収容凹部２１ｃに連通するスリット状の係止孔２１ｄとが形成されている。係止孔２１ｂは、ロータ部材１２の係止孔１２ｃと対応する位置に配置されている。上ケース２１のばね収容凹部２１ｃとロータ部材１２のばね収容凹部１２ｂとの間には、トーションスプリング２９が配置されている。
【００３４】
（メカニカルキーの左右反転構造）
以上のように構成されたキーユニット１は、メカニカルキー１０の完全展開位置を基準としてロータ部材１２を左右反転可能に支持するケース２０と、メカニカルキー１０の完全展開位置を基準として付勢方向が反転されるトーションスプリング２９とを備えている。メカニカルキー１０は、リリースボタン２７を回転中心軸としてケース２０の左右両側の側壁に開口する部品格納空間２０ａ，２０ａに回転格納可能に支持されている。
【００３５】
このトーションスプリング２９は、図４及び図５に示すように、ねじり反力を発生する略円筒形状のコイル部２９ａと一対のバネ端部２９ｂ，２９ｂとを有しており、リリースボタン２７の外周面に挿入されている。各バネ端部２９ｂは、コイル部２９ａの両端から同一方向に屈曲して形成されており、同一垂直面上に平行に配置されている。
【００３６】
図示例では、各バネ端部２９ｂは、コイル部２９ａの径方向に配置されており、図６（ａ）に示すように、ロータ部材１２の係止孔１２ｃと上ケース２１の係止孔２１ｄとに固定されている。
【００３７】
メカニカルキー１０には、単一のトーションスプリング２９により、上ケース２１の正面からみて時計回り及び反時計回りの両方向に付勢するトーション力が付与される。このトーションスプリング２９は、一対のバネ端部２９ｂを互いに広げる方向のねじり反力と、互いに狭める方向のねじり反力とを発生する。
【００３８】
従って、メカニカルキー１０が左側の部品格納空間２０ａ内に格納されている場合は、トーションスプリング２９のばね力が、上ケース２１の正面からみて時計回り方向に向かって作用するため、左側の格納位置から完全展開位置へメカニカルキー１０を自動的に回転させることができる。
【００３９】
これとは逆に、メカニカルキー１０が右側の部品格納空間２０ａ内に格納されている場合は、トーションスプリング２９のばね力が、上ケース２１の正面からみて反時計回り方向に向かって作用するため、右側の格納位置から完全展開位置へメカニカルキー１０を自動的に回転させることができる。
【００４０】
トーションスプリング２９は、例えば一対のバネ端部２９ｂがコイル部２９ａの周方向内側又は周方向外側に配置された構成であってもよい。単一のトーションスプリング２９を採用することで、構成部品点数の削減及び構成の簡略化などを図ることができる。
【００４１】
（キーユニットの動作）
以上のように構成されたキーユニット１のメカニカルキー１０を格納位置から完全展開位置に回転操作する際には、コイルスプリング２８のばね力に抗してリリースボタン２７を押し込み操作することで、リリースボタン２７の規制突部２７ａとロータ部材１２の規制凹部１２ｆとの係止状態が解除される。
【００４２】
リリースボタン２７の規制突部２７ａは、リリースボタン２７の押し込み操作を解除した状態でも、下ケース２２の係合凹部２２ｄに係合されたままの状態に保持されており、リリースボタン２７の規制突部２７ａは、トーションスプリング２９のばね力によりメカニカルキー１０の完全展開方向に付勢されて、コイルスプリング２８のばね力によりロータ部材１２の摺動面１２ｄに弾性的に接触する。
【００４３】
従って、ロータ部材１２は、リリースボタン２７を回転中心として、トーションスプリング２９のばね力により上ケース２１の摺動段部２１ａと下ケース２２の摺動段部２２ｂとを摺動しながら、メカニカルキー１０が格納位置から外側へ飛び出して完全展開位置へ自動的に回転することになる。
【００４４】
メカニカルキー１０が完全展開位置に到達したときは、トーションスプリング２９のばね力が付勢状態から元の自然状態に戻り、リリースボタン２７の規制突部２７ａがコイルスプリング２８のばね力によりロータ部材１２の規制凹部１２ｅに嵌合して位置規制される。リリースボタン２７が押し込み操作可能な元の位置に復帰することで、メカニカルキー１０の姿勢が保持される。
【００４５】
一方、メカニカルキー１０を完全展開位置から格納位置に格納する際は、コイルスプリング２８のばね力に抗してリリースボタン２７を押し込み操作し、メカニカルキー１０を完全展開位置から格納位置に手動で回転操作することにより、リリースボタン２７の規制突部２７ａとロータ部材１２の規制凹部１２ｅとの係止状態が解除される。
【００４６】
リリースボタン２７の規制突部２７ａは、図６（ｄ）に示すように、リリースボタン２７の押し込み操作を解除した状態でも、下ケース２２の係合凹部２２ｄに係合されたままの状態に保持されており、メカニカルキー１０を格納位置に向けて手動で回転操作しても、リリースボタン２７の規制突部２７ａは、コイルスプリング２８のばね力によりロータ部材１２の摺動面１２ｄに弾性的に接触する。
【００４７】
従って、手動操作により、リリースボタン２７を回転中心として、トーションスプリング２９のばね力に抗してロータ部材１２を上ケース２１の摺動段部２１ａと下ケース２２の摺動段部２２ｂとに摺動させながら、メカニカルキー１０を完全展開位置から格納位置へ回転操作させることになる。
【００４８】
メカニカルキー１０が格納位置に到達したときは、リリースボタン２７の規制突部２７ａがコイルスプリング２８のばね力によりロータ部材１２の規制凹部１２ｆに嵌合して位置規制され、メカニカルキー１０の姿勢が保持される。
【００４９】
上記のように構成されたキーユニット１によると、メカニカルキー１０が左側の部品格納空間２０ａ内に格納されている場合は、トーションスプリング２９の時計回り方向のばね力により、メカニカルキー１０がケース２０の左側の格納位置から完全展開位置へ自動的に回転する。
【００５０】
これとは逆に、メカニカルキー１０が右側の部品格納空間２０ａ内に格納されている場合は、トーションスプリング２９の反時計回り方向のばね力により、メカニカルキー１０がケース２０の右側の格納位置から完全展開位置へ自動的に回転することになる。
【００５１】
（実施の形態の効果）
以上のように構成されたキーユニット１によれば、上記効果に加えて以下の効果が得られる。
【００５２】
簡単な構成をもって、メカニカルキー１０の完全展開位置を基準としてメカニカルキー１０を左右反転可能に構成することができる。
【００５３】
メカニカルキー１０を左右両方向に反転可能に構成していることから、左利き及び右利きの何れの操作者にも対応することができる。
【００５４】
［変形例］
本発明のキーユニット１の代表的な構成例を実施の形態、変形例及び図示例を挙げて説明したが、次に示すような変形例も可能である。
【００５５】
リリースボタン２７の周方向に単一の規制突部２７ａを配置した構成を例示したが、例えばロータ部材１２の規制凹部１２ｅ，１２ｆがメカニカルキー１０の格納位置及び完全展開位置に対応して設けられているならば、周方向に１８０°の位相差をもって一対の規制突部２７ａを設けた構成であっても構わない。
【００５６】
なお、キーユニット１としては、住宅等で使用されるドアにも適用できることは勿論である。
【００５７】
以上の説明からも明らかなように、本発明における代表的な実施の形態、変形例及び図示例を例示したが、上記実施の形態、変形例及び図示例は特許請求の範囲に係る発明を限定するものではない。従って、上記実施の形態、変形例及び図示例の中で説明した特徴の組合せの全てが発明の課題を解決するための手段に必須であるとは限らない点に留意すべきである。
【符号の説明】
【００５８】
１…キーユニット、１０…メカニカルキー、１１…キープレート、１２…ロータ部材、１２ａ…貫通孔、１２ｂ…ばね収容凹部、１２ｃ…係止孔、１２ｄ…摺動凹部、１２ｅ，１２ｆ…規制凹部、１２ｇ…斜面、２０…ケース、２０ａ…部品格納空間、２１…上ケース、２１ａ…摺動段部、２１ｂ…挿入孔、２１ｃ…ばね収容凹部、２１ｄ…係止孔、２１ｅ…位置決めピン、２２…下ケース、２２ａ…支持ボス部、２２ｂ…摺動段部、２２ｃ…挿入凹部、２２ｄ…係合凹部、２２ｅ…位置決め孔、２３〜２６…スイッチボタン、２７…リリースボタン、２７ａ…規制突部、２８…コイルスプリング、２９…トーションスプリング、２９ａ…コイル部、２９ｂ…バネ端部
【図１】
2016102300.tif 000003
【図２】
2016102300.tif 000004
【図３】
2016102300.tif 000005
【図４】
2016102300.tif 000006
【図５】
2016102300.tif 000007
【図６】
2016102300.tif 000008